(57)【要約】【課題】折り畳みと展開が容易で、コース図の確認やスコアの記入がしやすいゴルフ用スコアカードを提供する。【解決手段】折り線により紙面が２ｎ×３列（ｎ≧４）の行列に等しく区分され、紙面対角線上にある２つの隅の行列の欄を台紙として最上行の台紙を表紙、他方を裏表紙とし、行方向の折り線が上から交互に山折りと谷折りにして形成され、列方向の折り線が１行分の面積に畳んだ状態で台紙の欄に接する折り線を山折りとして交互に山折り谷折りにして形成され、表紙行の表紙以外の２つの欄に９ホール分の一方のコースのスコア表が記載され、裏表紙行の裏表紙以外の２つの欄に他方のコースのスコア表が記載され、紙面おもて面の台紙とスコア表以外の１８の各欄に、１ラウンド１８ホールの各ホールのコース図がそれぞれに記載されている折り畳み式ゴルフ用スコアカードとしている。【選択図】図９
2008253508.tif 000002
【特許請求の範囲】
【請求項１】
ゴルフのスコアカードであって、
縦長の長方形紙面の左右方向を行方向とし、自然数ｎ≧４として、当該紙面を２ｎ×３列の行列に等しく区分する線上に折り線を形成し、
紙面おもて面の前記行列において、対角線上にある２つの隅の欄を台紙とするとともに、前記行列の最上行の台紙を表紙とし、他方の台紙を裏表紙として、全ての折り線を折った状態で、行列の一つの欄に相当する面積に折り畳み可能とし、
紙面おもて面において、行方向に平行する折り線は上から交互に山折りと谷折りに形成され、
列方向の折り線は、前記行方向の折り線を折って１行分の面積に畳んだ状態で、台紙の欄に接する折り線を山折りとして交互に山折り谷折りにして形成され、
表紙となる台紙がある行の台紙以外の２つの欄にアウトコースあるいはインコースの一方の９ホール分のスコア記入欄が記載され、裏表紙の台紙がある行の台紙以外の２つの欄に他方のコースのスコア記入欄が記載され、
紙面おもて面の折り線によって区画された行列の各欄のうち、台紙およびスコア記入欄以外の１８の欄のそれぞれに、１ラウンド１８ホールの各ホールの見取り図が記載されている
ことを特徴とする折り畳み式ゴルフ用スコアカード。
【請求項２】
ゴルフのスコアカードであって、
縦長の長方形紙面の左右方向を行方向とし、自然数ｎ≧３として、当該紙面を２ｎ行×３列の行列に等しく区分する線上に折り線を形成し、
紙面おもて面の前記行列において、対角線上にある２つの隅の欄を台紙とするとともに、前記行列の最上行の台紙を表紙とし、他方の台紙を裏表紙として、全ての折り線を折った状態で、行列の一つの欄に相当する面積に折り畳み可能とし、
紙面おもて面において、行方向に平行する折り線は上から交互に山折りと谷折りに形成され、
列方向の折り線は、前記行方向の折り線を折って１行分の面積に畳んだ状態で、台紙の欄に接する折り線を山折りとして交互に山折り谷折りにして形成され、
表紙となる台紙がある行の台紙以外の２つの欄にアウトコースあるいはインコースの一方の９ホール分のスコア記入欄が記載され、裏表紙の台紙がある行の台紙以外の２つの欄に他方のコースのスコア記入欄が記載され、
紙面裏面において、折り線によって区画された行列の各欄には、１ラウンド１８ホールの各ホールの見取り図がそれぞれに記載されている
ことを特徴とする折り畳み式ゴルフ用スコアカード。
【請求項３】
請求項２において、紙面おもて面の最上行の絵や文字の印刷方向と、紙面裏面の各ホールの見取り図の印刷方向とが上下逆であることを特徴とする折り畳み式ゴルフ用スコアカード。
【請求項４】
請求項１または２において、紙面おもて面の最上行と最下行に記載される文字や絵の印刷方向が互いに上下逆であることを特徴とする折り畳み式ゴルフ用スコアカード。
【請求項５】
請求項１において、紙面おもて面の最上行と最下行に記載される文字や絵の印刷方向が互いに上下逆であるとともに、１ラウンド１８ホールの各ホールの見取り図は、ｎ行目とｎ＋１行目を区切る紙面中央の折り線より上の連続する３行×３列の欄に最上行のスコア記入欄と同じコースの９ホール分の見取り図が最上行と同じ印刷方向で記載され、前記紙面中央の折り線より下の連続する３行３列の欄に最下行のスコア記入欄と同じコースの９ホール分の見取り図が最下行と同じ印刷方向で記載されていることを特徴とする折り畳み式ゴルフ用スコアカード。
【発明の詳細な説明】
【技術分野】
【０００１】
この発明は、ゴルフのスコアカードに関し、具体的には、ゴルフコースの各ホールの地図が記載されるとともに、折り畳み可能なスコアカードに関する。
【背景技術】
【０００２】
周知のごとく、ゴルフのスコアカードは、各ホールの打数を記入するための用紙であり、通常は、見開きの各ページにアウトコースとインコースの各コースについて、距離とパーの数とスコアを記入する欄とを備えたスコア記入表が印刷されている。また、各ホールにおける外縁形状や、バンカー、池、グリーンなどの位置や形状が分からないと、使用するクラブや打数毎のボールの落とし場所などを想定しにくくなり、事前にコースを攻める戦略を立てることができない。
【０００３】
そのため、スコア記入表とともに各ホールの見取り図（コース図）などを一緒に印刷したスコアカードがある。また、全コースの見取り図を小さい紙面に印刷すると、各コースのみ取り図の印刷面積が小さくなって見にくい。そこで、以下の特許文献にはコース図が印刷された折り畳み式のスコアカードが開示されている。
【特許文献１】特開平４−５４９７７号公報
【発明の開示】
【発明が解決しようとする課題】
【０００４】
折り畳み式のスコアカードには、折り畳んだ状態では可能な限り小さくなることが要求される。その一方で、コースを確認する際には、１つのコースについて、ある程度の面積を使ってレイアウトが十分に確認できるようにすることも必要となる。また、折り畳まれた紙面の一部にスコア表を印刷することから、スコアを記入する際に、素早く自然にスコア表の印刷面が展開されるようにする工夫も必要である。自然に折り畳みと展開ができるように折り線をつけることも重要である。
【０００５】
本発明は、このようなことを考え創作されたものであり、その目的は、折り畳み式ゴルフ用スコアカードにおいて、携帯時には可能な限り小さく折り畳んだ状態にでき、自然な動作で容易に折り畳みと展開ができ、かつ、コース図の確認やスコアの記入をしやすくすることにある。
【課題を解決するための手段】
【０００６】
上記目的を達成するための本発明は、ゴルフのスコアカードであって、その第１の発明は、
縦長の長方形紙面の左右方向を行方向とし、自然数ｎ≧４として、当該紙面を２ｎ×３列の行列に等しく区分する線上に折り線を形成し、
紙面おもて面の前記行列において、対角線上にある２つの隅の欄を台紙とするとともに、前記行列の最上行の台紙を表紙とし、他方の台紙を裏表紙として、全ての折り線を折った状態で、行列の一つの欄に相当する面積に折り畳み可能とし、
紙面おもて面において、行方向に平行する折り線は上から交互に山折りと谷折りに形成され、
列方向の折り線は、前記行方向の折り線を折って１行分の面積に畳んだ状態で、台紙の欄に接する折り線を山折りとして交互に山折り谷折りにして形成され、
表紙となる台紙がある行の台紙以外の２つの欄にアウトコースあるいはインコースの一方の９ホール分のスコア記入欄が記載され、裏表紙の台紙がある行の台紙以外の２つの欄に他方のコースのスコア記入欄が記載され、
紙面おもて面の折り線によって区画された行列の各欄のうち、台紙およびスコア記入欄以外の１８の欄のそれぞれに、１ラウンド１８ホールの各ホールの見取り図が記載されている
折り畳み式ゴルフ用スコアカードとした。
【０００７】
あるいは、縦長の長方形紙面の左右方向を行方向とし、自然数ｎ≧３として、当該紙面を２ｎ行×３列の行列に等しく区分する線上に折り線を形成し、
紙面おもて面の前記行列において、対角線上にある２つの隅の欄を台紙とするとともに、前記行列の最上行の台紙を表紙とし、他方の台紙を裏表紙として、全ての折り線を折った状態で、行列の一つの欄に相当する面積に折り畳み可能とし、
紙面おもて面において、行方向に平行する折り線は上から交互に山折りと谷折りに形成され、
列方向の折り線は、前記行方向の折り線を折って１行分の面積に畳んだ状態で、台紙の欄に接する折り線を山折りとして交互に山折り谷折りにして形成され、
表紙となる台紙がある行の台紙以外の２つの欄にアウトコースあるいはインコースの一方の９ホール分のスコア記入欄が記載され、裏表紙の台紙がある行の台紙以外の２つの欄に他方のコースのスコア記入欄が記載され、
紙面裏面において、折り線によって区画された行列の各欄には、１ラウンド１８ホールの各ホールの見取り図がそれぞれに記載されている
折り畳み式ゴルフ用スコアカードとしてもよく、これを第２の発明とした。
【０００８】
第２の発明において、紙面おもて面の最上行の絵や文字の印刷方向と、紙面裏面の各ホールの見取り図の印刷方向とを上下逆にした折り畳み式ゴルフ用スコアカードとしてもよい。
【０００９】
第１または第２の発明において、紙面おもて面の最上行と最下行に記載される文字や絵の印刷方向が互いに上下逆である折り畳み式ゴルフ用スコアカードとすることもできる。
【００１０】
第１の発明において、紙面おもて面の最上行と最下行に記載される文字や絵の印刷方向が互いに上下逆であるとともに、１ラウンド１８ホールの各ホールの見取り図は、ｎ行目とｎ＋１行目を区切る紙面中央の折り線より上の連続する３行×３列の欄に最上行のスコア記入欄と同じコースの９ホール分の見取り図が最上行と同じ印刷方向で記載され、前記紙面中央の折り線より下の連続する３行３列の欄に最下行のスコア記入欄と同じコースの９ホール分の見取り図が最下行と同じ印刷方向で記載されている折り畳み式ゴルフ用スコアカードとしてもよい。
【発明の効果】
【００１１】
本発明のゴルフ用スコアカードによれば、携帯時には可能な限り小さく折り畳んだ状態にでき、自然な動作で容易に折り畳みと展開ができ、かつ、コース図の確認やスコアの記入をしやすい。
【発明を実施するための最良の形態】
【００１２】
＝＝＝第１の実施例＝＝＝
図１は、本発明の第１の実施例における折り畳み式ゴルフ用スコアカード（以下、スコアカード）の展開状態を示した。この図では、スコアカード１の紙のおもて面２ａを示している。紙面は、ほぼＡ４サイズの紙を縦においた長方形形状である。以下、この図１の紙面展開状態で上下方向を規定する。
【００１３】
紙面には、６行３列の行列に区分する線上に折り線（６ａ、６ｂ、７ａ、７ｂ）が付けられている。各折り線（６ａ、６ｂ、７ａ、７ｂ）によって区分される欄４は等しく同じ横長の長方形形状である。折り線（６ａ、６ｂ、７ａ、７ｂ）は、行方向では、上から順に山折り（６ａ）、谷折り（６ｂ）となっており、列方向の折り線は、最上行１を第１行として、順次下の行を第２、第３、第４、第５、最下行を第６行とすると、奇数行では、左から順に山折り（７ａ）、谷折り（７ｂ）であり、偶数行では、逆に、左から順に谷折り（７ｂ）、山折り（７ａ）となっている。
【００１４】
対角の位置にある隅の２つの欄には欄４の形状より一回り大きく、ほぼ名刺大の長方形の厚紙が台紙３として貼付されている。この例では左上の欄と右下の欄にそれぞれ台紙３が貼付され、左上の台紙のおもて面を表紙３ａとし、右下の台紙のおもて面を裏表紙３ｂとしている。また、表紙３ａと裏表紙３ｂのそれぞれに印刷されている文字や絵などは、互いに上下が逆であり、表紙３ａは正立、裏表紙３ｂは上下逆さまである。
【００１５】
台紙３がある最上行と最下行には、台紙３以外の２つの欄（４ａ、４ｂまたは４ｃ、４ｄ）にアウトコースあるいはインコースのいずれかのスコア記入欄（以下、スコア表：５ａ、５ｂ）が印刷されている。そして、スコア表（５ａ、５ｂ）の文字の印刷方向は同じ行にある表紙３ａや裏表紙３ｂと同じ向きとなっている。なお、表紙３ａ、裏表紙３ｂ、およびスコア表（５ａ、５ｂ）以外の欄４には、広告やゴルフ場の写真など、各欄に個別に、あるいは表紙３ａと裏表紙３ｂとスコア表（５ａ、５ｂ）以外の欄からなる全紙面を使うなどして、適宜な内容を印刷すればよい。
【００１６】
図２に紙の裏面の外観を示した。裏面２ｂには、おもて面２ａと同じく、折り線４によって区分された欄８があり、各欄８には、それぞれ各ホールの見取り図（コース図）９ａが印刷されている。各ホールのコース図９ａには、距離９ｂやパーの数９ｃ、攻略方法やホールの概要などの説明９ｄなどが付記されている。
【００１７】
また、裏面３ｂの文字印刷方向はおもて面３ａとは逆になっている。それによって、例えば、人が、表紙３ａを左手、裏表紙３ｂを右手に持ち、文字が正立するようにおもて面２ａを見ると、両手のうち、奥が左手、手前が右手となり、この状態で、紙面を裏返して裏面２ｂのコース図１１を見ようとする場合、台紙３を持つ左右の手を持ち替えずに、奥の左手を裏面２ｂ方向２０ａに手前に裏返し、手前の右手をおもて面２ａ方向２０ｂに奥に裏返すだけで、台紙３を持つ手を持ち替えずに裏面２ｂのコース図９ａを正立した状態で見ることができる。
【００１８】
図３（Ａ）（Ｂ）にスコアカード１を折り畳んだ状態を示した。展開状態では逆さまだった表紙３ａと裏表紙３ｂの文字や絵の上下関係が、折り畳むことで上下が揃うようになっている。すなわち、図１に示したおもて面２ａを見たとき、スコアカード１の行方向の折り線（６ａ、６ｂ）が、上から交互に山折り６ａ、谷折り６ｂとなっており、図３の状態に折り畳むには、まず、行方向の折り線（６ａ、６ｂ）に沿って折り、１行分の面積にまで折り畳む。図４に１行分にまで折り畳んだ状態のスコアカード１を示した。列方向の折り線（７ａ、７ｂ）は、１行分に畳まれた状態から台紙３のある方から順に、山折り１０ａ、谷折り１０ｂとすることで形成され、この通りに折れば、一つの欄４に相当する面積に紙面が折り畳まれる。
【００１９】
図５（Ａ）〜（Ｃ）にスコアを記入する際の展開状態を示した。おもて面２ａが見えるように全紙面に展開した状態（図１）では、左上と右下の欄にそれぞれ表紙３ａと裏表紙３ｂとなる台紙３があり、台紙３の横に連続する２つの欄にスコア表（５ａ、５ｂ）が印刷され、しかも最上行と最下行のスコア表（５ａ、５ｂ）の印刷方向が上下逆なので、表紙３ａを上面として折り畳んだ状態（Ａ）から、表紙３ａを左右のいずれかに開くと、アウトコース（Ｂ）、あるいはインコース（Ｃ）のスコア表が正立状態で現れる。本実施例では表紙３ａの行にアウトコースのスコア表５ａ、裏表紙３ｂの行にインコースのスコア表５ｂが印刷されているので、表紙３ａを左方向２１ａに開くとアウトコースのスコア表５ａの欄（４ａ、４ｂ）が展開され、右方向２１ｂに開くとインコースのスコア表５ｂの欄（４ｃ、４ｄ）が展開される。また、スコア表（５ａ、５ｂ）を記入可能状態にしたとき、同じコースのスコア表（５ａ、５ｂ）が印刷されている横に並んだ２つの欄（４ａ、４ｂ、または４ｃ、４ｄ）の下方に表紙３ａと裏表紙３ｂの厚紙が配置され、この厚紙がスコア記入時の下敷きとして機能する。それによって、筆記用具でスコア表１の紙面に穴を開けてしまうことがない。
【００２０】
図６〜図８に、コース図を見るときなど、紙面全体にまで展開するまでの手順を示した。まず、表紙３ａと裏表紙３ｂの台紙３を手に持ち、横方向２２に開き（図６）、図４に示したように１行分に展開する。次に上下方向２３に開き（図７）、１枚の紙面に展開していく（図８）。そして、最終的に図１や図２に示した紙面全面にまで展開する。この展開までの手順では、１行分にまで展開する手順と、その一行を面に展開するまでの手順が、ともに、交互に山折り、谷折りとなっている折り線を展開するだけなので、折り線を無理に開くことなく、台紙３を持った手を持ち替えることなく自然に展開できる。折り畳むときは、この逆の手順を行えばよい、台紙３の裏面を互いに対向させるように持ち（図８）、上下方向２３に折り畳むと（図６）、折り線に沿って自然に１行分にまで折り畳まれ、その１行を左右に折り畳むと（図５）、台紙３の面積にまで折り畳まれる。この折り畳み手順でも山折りと谷折りを交互に折るだけなので、やはり台紙３を持った手を持ち替えずに自然に折り畳むことができる。なお、折り線によって紙面が６行３列に区切られる例に限らず、ｎを自然数としてｎ≧３であれば、２ｎ行×３列の折り線としてもよい。
【００２１】
＝＝＝第２の実施形態＝＝＝
図９に、本発明の第２の実施例におけるスコアカードの外観図を示した。第２の実施例のスコアカード１ａでは、ホール図９ａが紙面おもて面２ａに印刷されている。したがって、スコア表（５ａ，５ｂ）の欄（４ａ〜４ｄ）と台紙（３ａ，３ｂ）を除く欄が１８以上必要であり、折り線は、ｎ≧４で、２ｎ行×３列の行列に区切ることになる。例示したスコアカードは、８行×３列の行列に区切られている。
【００２２】
ここでも、紙面おもて面２ａの最上行と最下行に記載される文字や絵の印刷方向が互いに上下逆であり、最上行と最下行の台紙（３ａ，３ｂ）以外の欄（４ａ〜４ｄ）に一方のコースのスコア表（５ａ，５ｂ）が印刷されている。
【００２３】
また、４行目１１ａと５行目１１ｂを区切る紙面中央の行方向の折り線１２を境にした上下に、それぞれ一方のコース９ホール分のコース図９ａが連続する３行×３列の欄（１３ａ，１３ｂ）に印刷されている。そして、紙面中央の折り線１２より上の３行×３列の欄１３ａにおけるコース図９ａは、最上行のスコア表５ａと同じコースの９ホールであり、そのコース図９ａの印刷方向は、最上行と同じである。前記紙面中央の折り線１２より下の連続する３行３列の欄１３ｂには、最下行のスコア表５ｂと同じコースの９ホール分のコース図９ａが印刷されており、その印刷方向は、最下行と同じである。
【００２４】
このように、紙面中央の折り線１２を境にして、スコア表とコース図の印刷方向を上下逆にすることで、紙面を広げて一方のコースのスコア表を見ると、同じコースのコース図の印刷方向が同じ方向となり、各ホールについて、記入したスコアとレイアウトとを同時に確認することが容易となる。
【図面の簡単な説明】
【００２５】
【図１】本発明の第１の実施例における折り畳み式ゴルフ用スコアカードを展開したときのおもて面の外観図である。
【図２】上記スコアカードの展開したときの裏面の外観図である。
【図３】上記スコアカードの折り畳み状態を示す外観図である。（Ａ）（Ｂ）は、それぞれ表紙側と裏表紙側から見た外観図である。
【図４】上記スコアカードを１行分に折り畳んだときの外観図である。
【図５】上記スコアカードのスコア記入欄を展開する際の手順図である。（Ａ）は折り畳み状態を示す外観図であり、（Ｂ）はアウトコースのスコア表を記入可能にした際の外観図である。（Ｃ）はインコースのスコア表を記入可能にした際の外観図である。
【図６】上記スコアカードの展開手順を示す図であり、折り畳み状態から１行分に展開する際の手順概略図である。
【図７】上記スコアカードの展開手順を示す図であり、１行分の面積を紙面全体にまで展開する際の手順概略図である。・・・
【図８】上記スコアカードの展開手順を示す図であり、紙面全体にまで展開する直前の手順概略図である。
【図９】本発明の第２の実施例における折り畳み式ゴルフ用スコアカードを展開したときのおもて面の外観図である。
【符号の説明】
【００２６】
１、１ｂ  スコアカード
２ａ  紙面おもて面
２ｂ  紙面裏面
３  台紙
３ａ  表紙
３ｂ  裏表紙
５ａ、５ｂ  スコア記入欄
６ａ、６ｂ、７ａ、７ｂ、１２  折り線
９ａ  ホール見取り図
【図１】
2008253508.tif 000003
【図２】
2008253508.tif 000004
【図３】
2008253508.tif 000005
【図４】
2008253508.tif 000006
【図５】
2008253508.tif 000007
【図６】
2008253508.tif 000008
【図７】
2008253508.tif 000009
【図８】
2008253508.tif 000010
【図９】
2008253508.tif 000011